(57)【要約】【課題】  止め金具本体と回転パーツとの離脱を防止する止め金具を提供する。【解決手段】  突起リング１２とストッパー１５の間のボルト部分１３の外周の２箇所にそれぞれ一つのくぼみ槽１４が設けられている。回転パーツ４には垂直状の空洞穴４１及び二つの水平状の貫通穴４２が開いている。止め金具本体１のくぼみ槽１４及びストッパー１５が回転パーツ４の空洞穴４１に挿入された後、二本の挿入栓４Ａが挿入されて、貫通穴４２及びくぼみ槽１４の中を貫通することで、回転作用は何ら制限を受けず、離脱を防ぐ目的のみを果たす。止め金具本体１にある収納槽に相通じる細長いスライド槽１１の最下部がカーブ部分になっていることで、外から引っ張られる力が集中するのを緩和する。【選択図】    図２Ａ
0003108763.tif 000002
【実用新案登録請求の範囲】
【請求項１】
突起リングとストッパーとの間のボルト部分の外周の２箇所にそれぞれ一つのくぼみ槽が設けられ、回転パーツには垂直状の空洞穴及び二つの水平状の貫通穴が開いており、止め金具本体のくぼみ槽及びストッパーが回転パーツの空洞穴に挿入され、二本の挿入栓が挿入されて貫通穴及びくぼみ槽の中を貫通しており、回転作用は何ら制限を受けず、離脱が防止されていることを特徴とする止め金具。
【請求項２】
止め金具本体にある収納槽に通じる細長いスライド槽の最下部がカーブ部分になっており、外から引っ張られる力の集中が緩和されることを特徴とする請求項１に記載の止め金具。
【考案の詳細な説明】
【技術分野】
【０００１】
本考案は、止め金具に関する。本考案の止め金具は、止め金具本体と回転パーツが離脱しないという特長を持つ。また、止め金具本体のスライド槽の最下部がカーブ部分になっていることで、外から引っ張られる力が集中するのを緩和するという効果がある。
【背景技術】
【０００２】
従来の止め金具は、図１Ａに示すように、止め金具本体Ａが「？」型をしている。収納槽にはスライドボルトＢ及びスプリングがある。収納槽には、さらに細長いスライド層Ａ１が設けられていて、互いに通じていて、ノブＣを持ったスライドボルトＢが挿入されて結合するようになっている。そして、止め金具本体Ａの下部には回転パーツＤが組み合わされて、止め金具本体Ａを物体に引っ掛ける時、回転パーツＤをさまざまな物に取り付けて自由に回転させて使用するようになっている。止め金具本体Ａ内にあるスプリングはその上のスライドボルトＢを上に押し上げるため、スライドボルトＢは常に露出した状態で口を閉じた状態になる。逆に、手でノブＣを下に押すと、スライドボルトＢは下に移動し、スプリングを押し下げて、口が開いた状態になる。しかしながら、引っ掛けられた物体Ｅが外からの力で引っ張られる時（図１を参照いただきたい）、その力はスライドボルトＢにかかり、外に向かって引っ張られる形になる。このとき、スライドボルトＢが切断されるまでには至らないものの、止め金具本体Ａの細長いスライド槽Ａ１の底部の角になった部分Ａ１１に力が集中して、それが長期にわたると、この角になった部分Ａ１１に亀裂が生じたり、切断されたりする。
【０００３】
さらに、この止め金具の製造過程において、止め金具本体Ａと回転パーツＤはそれぞれ別々に製造される（図１Ａを参照いただきたい）。この止め金具本体Ａの下部にはくぼんで段になった部分Ａ２があって、最下部はストッパーリングＡ３が形成されている。回転パーツＤには貫通穴Ｄ１があって、止め金具本体Ａの下部にあるくぼんで段になった部分Ａ２が回転パーツＤの貫通穴Ｄ１に挿入されて（図１Ｃを参照いただきたい）、その後、加工機械によって回転パーツＤの貫通穴Ｄ１の両側を圧縮して変形させることにより、回転パーツＤの貫通穴Ｄ１は元々ストッパーリングＡ３のサイズより大きかったのが縮小されて、止め金具本体Ａが回転パーツＤの中に固定されるものの、その中で回転運動をすることが可能である。使い始めの時は止め金具本体Ａの最下部のストッパーリングＡ３の外周は回転パーツＤの貫通穴Ｄ１の内径より大きく、正常に操作することが可能である。しかしながら、回転パーツＤに他のパーツを取り付けると、それが垂直であろうと、斜めの角度であろうと、回転パーツを引っ張ることには変わりなく、回転パーツＤの貫通穴Ｄ１が止め金具本体ＡのストッパーリングＡ３に向かって常に摩擦動作を繰り返す上に、貫通穴Ｄ１とくぼんで段になった部分Ａ２及びストッパーリングＡ３が同心円ではないことから、貫通穴Ｄ１は徐々に大きくなり、ストッパーリングＡ３は磨耗して小さくなる。この状態が続いて、ある程度時間が経過すると、回転パーツＤとそれに取り付けられたパーツは止め金具本体Ａから離脱し（図１Ｄを参照いただきたい）、時には回転パーツＤとそれに取り付けられたパーツが気付かないうちになくなるといった状況が生じる。
【考案の開示】
【考案が解決しようとする課題】
【０００４】
そこで、本考案の目的は、パーツの離脱を防止する止め金具を提供することにある。
【課題を解決するための手段】
【０００５】
本考案の止め金具は、突起リングとストッパーの間のボルト部分の外周の２箇所にそれぞれ一つのくぼみ槽が設けられていて、回転パーツには垂直状の空洞穴及び二つの水平状の貫通穴が開いている。また、止め金具本体の中の収納槽と相通じる細長いスライド槽の最下部はカーブ部分になっている。止め金具本体のストッパー及びくぼみ槽が回転パーツの空洞穴に挿入された後、二本の挿入栓が挿入されて、貫通穴及びくぼみ槽の中を貫通することで、回転作用は何ら制限を受けず、離脱を防ぐ目的のみを果たすようになっている。さらに、スライド槽の最下部がカーブ部分になっていることで、外から引っ張られる力が集中するのを緩和するという効果がある。
【考案を実施するための最良の形態】
【０００６】
図２Ａ、図２Ｂ及び図３に示すように、本考案の一実施例による止め金具は、バッグのベルトやキーホルダー、マスコット、ペットのベルト及び工業用の止め金具等に幅広く使用される。止め金具本体１は「？」型をしていて、収納槽内にはスライドボルト３及びスプリングがある。スプリングはスライドボルト３の下にあって、収納槽にはさらに細長いスライド層１１が設けられていて、互いに通じていて、ノブ２を持ったスライドボルト３が挿入されて結合するようになっている。スライド槽１１の最下部はカーブ部分１１１になっている。止め金具本体１の下方には突起リング１２が形成されていて、ボルト部分１３とストッパー１５には突起リング１２とストッパー１５の間のボルト部分１３の外周の２箇所にそれぞれ一つのくぼみ槽１４が設けられている。そして、回転パーツ４には垂直状の空洞穴４１及び二つの水平状の貫通穴４２が開いている。空洞穴４１及び二つの水平状の貫通穴４２は互いに通じている。
【０００７】
止め金具本体１のストッパー１５及び突起リング１３が回転パーツ４の空洞穴４１に挿入された後、二本の挿入栓４Ａが挿入されて、貫通穴４２及びボルト部分１３の外周の両側にあるくぼみ槽１４の中を貫通して（図３、図４Ａ及び図４Ｂを参照いただきたい）、止め金具本体１が回転パーツ４から離脱しないようになっている。しかしながら、回転作用は何ら制限を受けず、離脱を防ぐ目的のみを果たすようになっている。さらに、引っ掛けた物体が外からの力を受けて引っ張られる時、その力はスライドボルト３にかかり、スライドボルト３が外に向かって引っ張られる形になり、細長いスライド槽１１を圧迫する。この時、スライド槽１１の最下部はカーブ部分１１１になっているため、受けた力が集中するのを緩和する。したがって、スライド槽１１に亀裂が生じたり、切断されたりすることがなく、止め金具本体１を保護するという効果がある。
【０００８】
本実施例の止め金具は、止め金具本体の突起リング及びストッパーの間にあるボルト部分の外周の２箇所にそれぞれ一つのくぼみ槽が設けられていて、回転パーツには垂直状の空洞穴及び二つの水平状の貫通穴が開いている。止め金具本体のストッパー及びくぼみ槽が回転パーツの空洞穴に挿入された後、二本の挿入栓が挿入されて、貫通穴及びくぼみ槽の中を貫通することで、回転作用は何ら制限を受けず、離脱を防ぐ目的のみを果たすという効果がある。
【０００９】
また、本実施例の止め金具本体の収納槽と相通じる細長いスライド槽の最下部がカーブ部分になっていることで、外から引っ張られる力が集中するのを緩和するという効果がある。
【図面の簡単な説明】
【００１０】
【図１Ａ】従来の止め金具の分解斜視図である。
【図１Ｂ】従来の止め金具の外から引っ張る力を受けた状態を示す斜視図である。
【図１Ｃ】従来の止め金具の模式図である。
【図１Ｄ】従来の止め金具の脱落した状態を示す模式図である。
【図２Ａ】本考案の一実施例による止め金具を示す分解斜視図である。
【図２Ｂ】本考案の一実施例による止め金具を示す分解断面図である。
【図３】本考案の一実施例による止め金具を示す斜視図である。
【図４Ａ】本考案の一実施例による止め金具を示す模式図である。
【図４Ｂ】本考案の一実施例による止め金具の局部を示す模式図である。
【符号の説明】
【００１１】
１  止め金具本体、２  ノブ、３  スライドボルト、４  回転パーツ、４Ａ  挿入栓、１１  スライド槽、１２  突起リング、１３  ボルト部分、１４  くぼみ槽、１５  ストッパー、４１  空洞穴、４２  貫通穴、１１１  カーブ部分
【図１Ａ】
0003108763.tif 000003
【図１Ｂ】
0003108763.tif 000004
【図１Ｃ】
0003108763.tif 000005
【図１Ｄ】
0003108763.tif 000006
【図２Ａ】
0003108763.tif 000007
【図２Ｂ】
0003108763.tif 000008
【図３】
0003108763.tif 000009
【図４Ａ】
0003108763.tif 000010
【図４Ｂ】
0003108763.tif 000011